(57)【特許請求の範囲】
【請求項１】
エンジンの温度の高低に関わらず、低負荷域での運転時には、ＲａｗＮＯｘが所定以下となるよう気筒内のＡ／Ｆ（気筒内の空気重量と気筒内に供給される燃料重量との比）又はＧ／Ｆ（気筒内の全ガス重量と気筒内に供給される燃料重量との比）を所定リーンにすると共に、前記低負荷域よりも負荷の高い高負荷域での運転時には、前記気筒内のＡ／Ｆ又はＧ／Ｆを前記所定リーンよりもリッチにするよう構成されたリーンバーンエンジンと、
前記リーンバーンエンジンの排気通路に介設されかつ、その活性時には、前記リーンバーンエンジンが前記高負荷域で運転していて前記気筒内のＡ／Ｆ又はＧ／Ｆが前記所定リーンよりもリッチであるときに、排気ガスの浄化を行うよう構成された触媒コンバータと、
前記リーンバーンエンジンの出力トルクを変速しかつ、駆動輪に出力するよう構成された自動変速機と、
要求トルクに応じて、前記リーンバーンエンジンの運転、及び、前記自動変速機の変速状態を制御するよう構成された制御部と、を備え、
前記制御部は、触媒の未活性時に、要求トルクに応じて前記自動変速機の変速比を小に変更することに伴い、前記リーンバーンエンジンの運転状態が前記低負荷域から前記高負荷域に移行しようとするときには、前記自動変速機の変速比を小に変更することを保留することによって、前記リーンバーンエンジンの運転状態を前記低負荷域内にして前記気筒内のＡ／Ｆ又はＧ／Ｆを前記所定リーンのままにするリーンバーンエンジン搭載車両の制御装置。
【請求項２】
エンジンの温度の高低に関わらず、低負荷域での運転時には、ＲａｗＮＯｘが所定以下となるよう気筒内のＡ／Ｆ（気筒内の空気重量と気筒内に供給される燃料重量との比）又はＧ／Ｆ（気筒内の全ガス重量と気筒内に供給される燃料重量との比）を所定リーンにすると共に、前記低負荷域よりも負荷の高い高負荷域での運転時には、前記気筒内のＡ／Ｆ又はＧ／Ｆを前記所定リーンよりもリッチにするよう構成されたリーンバーンエンジンと、
前記リーンバーンエンジンの排気通路に介設されかつ、その活性時には、前記リーンバーンエンジンが前記高負荷域で運転していて前記気筒内のＡ／Ｆ又はＧ／Ｆが前記所定リーンよりもリッチであるときに、排気ガスの浄化を行うよう構成された触媒コンバータと、
前記リーンバーンエンジンの出力トルクを変速しかつ、駆動輪に出力するよう構成された自動変速機と、
要求トルクに応じて、前記リーンバーンエンジンの運転、及び、前記自動変速機の変速状態を制御するよう構成された制御部と、を備え、
前記制御部は、触媒の未活性時に、要求トルクに応じて前記リーンバーンエンジンの負荷が高まることに伴い、前記リーンバーンエンジンの運転状態が前記低負荷域から前記高負荷域に移行しようとするときには、前記自動変速機の変速比を大に変更することによって、前記リーンバーンエンジンの運転状態を前記低負荷域内にして前記気筒内のＡ／Ｆ又はＧ／Ｆを前記所定リーンのままにするリーンバーンエンジン搭載車両の制御装置。
【請求項３】
請求項１又は２に記載のリーンバーンエンジン搭載車両の制御装置において、
前記リーンバーンエンジンの冷却水を利用して、車室内の暖房を行うよう構成された空調装置をさらに備え、
前記制御部は、触媒の未活性時及び活性時において、前記空調装置の暖房要求時でかつ、前記リーンバーンエンジンの冷却水温が所定温度以下の時には、
要求トルクに応じて前記自動変速機の変速比を小に変更することに伴い、前記リーンバーンエンジンの運転状態が前記低負荷域から前記高負荷域に移行しようとするときには、前記リーンバーンエンジンの運転状態が前記低負荷域内となって前記気筒内のＡ／Ｆ又はＧ／Ｆを前記所定リーンにするように、前記自動変速機の変速比の変更を保留し、
要求トルクに応じて前記リーンバーンエンジンの負荷が高まることに伴い、前記リーンバーンエンジンの運転状態が前記低負荷域から前記高負荷域に移行しようとするときには、前記リーンバーンエンジンの運転状態が前記低負荷域内となって前記気筒内のＡ／Ｆ又はＧ／Ｆを前記所定リーンにするように、前記自動変速機の変速比を大に変更するリーンバーンエンジン搭載車両の制御装置。
【発明の詳細な説明】
【技術分野】
【０００１】
ここに開示する技術は、リーンバーンエンジン搭載車両の制御装置に関する。
【背景技術】
【０００２】
特許文献１には、運転状態が低負荷域にあるときには、ＲａｗＮＯｘが少なくなるよう、空気過剰率λを２以上、又は、気筒内のＧ／Ｆ（つまり、気筒内の全ガス重量と気筒内に供給される燃料重量との比）を３０以上に設定するリーンバーンエンジンが記載されている。このリーンバーンエンジンはまた、幾何学的圧縮比を高くすることにより膨張比を高くしかつ、燃焼室を区画する区画壁に遮熱層を設けている。これらの構成により、このリーンバーンエンジンは、熱効率の向上を図っている。
【０００３】
特許文献２には、排気浄化用の触媒の未活性時に、燃料噴射量を増量すると共に、自動変速機のシフトアップを制限することが記載されている。この技術は、燃料噴射量の増量により発熱量を増やすと共に、シフトアップの制限によってエンジンの回転数を高めにすることで単位時間当たりの排気流量を増やして、触媒の活性化を促進する。
【先行技術文献】
【特許文献】
【０００４】
【特許文献１】特開２０１３−５３６０６号公報
【特許文献２】特開２００７−３０９２６４号公報
【発明の概要】
【発明が解決しようとする課題】
【０００５】
特許文献２に記載された技術は、燃料噴射量の増量とエンジン回転数を高めることを組み合わせることにより、未活性の触媒を早期に活性化しようとするが、触媒が活性化するまでの間は、増えた燃料量及び排気流量によって、テールパイプエミッションは悪化し得る。
【０００６】
ここに開示する技術は、かかる点に鑑みてなされたものであり、その目的とするところは、触媒の未活性時におけるテールパイプエミッションの悪化を防止することにある。
【課題を解決するための手段】
【０００７】
ここに開示する技術は、ＲａｗＮＯｘが所定以下となるように気筒内のＡ／Ｆ（つまり、気筒内の空気重量と気筒内に供給される燃料重量との比）又はＧ／Ｆを所定リーンにすれば、触媒が仮に未活性であっても、テールパイプエミッションを悪化させることが無い点に着目した技術である。つまり、ここに開示する技術は、触媒の未活性時に触媒の活性化を促進するのではなく、エンジンと自動変速機との協調制御により、エンジンを、ＲａｗＮＯｘが所定以下となるように運転することによって、テールパイプエミッションの悪化を防止することを特徴とする。
【０００８】
具体的にここに開示する技術は、リーンバーンエンジン搭載車両の制御装置に係る。この装置は、エンジンの温度の高低に関わらず、低負荷域での運転時には、ＲａｗＮＯｘが所定以下となるよう気筒内のＡ／Ｆ又はＧ／Ｆを所定リーンにすると共に、前記低負荷域よりも負荷の高い高負荷域での運転時には、前記気筒内のＡ／Ｆ又はＧ／Ｆを前記所定リーンよりもリッチにするよう構成されたリーンバーンエンジンと、前記リーンバーンエンジンの排気通路に介設されかつ、その活性時には、前記リーンバーンエンジンが前記高負荷域で運転していて前記気筒内のＡ／Ｆ又はＧ／Ｆが前記所定リーンよりもリッチであるときに、排気ガスの浄化を行うよう構成された触媒コンバータと、前記リーンバーンエンジンの出力トルクを変速しかつ、駆動輪に出力するよう構成された自動変速機と、要求トルクに応じて、前記リーンバーンエンジンの運転、及び、前記自動変速機の変速状態を制御するよう構成された制御部と、を備える。
【０００９】
そして、前記制御部は、触媒の未活性時には、前記リーンバーンエンジンの運転状態が前記低負荷域内となるように、前記自動変速機の変速状態を制御する。
【００１０】
この構成によると、リーンバーンエンジンは、エンジンの温度の高低に関わらず、低負荷域での運転時には、ＲａｗＮＯｘが所定以下となるよう気筒内のＡ／Ｆ又はＧ／Ｆを所定リーンにする。所定リーンは、気筒内のＡ／Ｆ又はＧ／Ｆを、例えば３０以上の大幅なリーンとすればよい。こうすることで、エンジンにおけるＲａｗＮＯｘの発生が抑制される。エンジンを低負荷域で運転すれば、触媒が未活性であっても、テールパイプエミッションの悪化が防止される。
【００１１】
一方、低負荷域よりも負荷が高い高負荷域でエンジンを運転する時には、気筒内のＡ／Ｆ又はＧ／Ｆを所定リーンよりもリッチにする。この理由の一つは、エンジンの負荷が高まることに伴い増える燃料供給量に対し、所定リーンを維持するだけのガス量（空気を含む）を気筒内に導入することが困難になるためである。エンジンを高負荷域で運転しているときは、ＲａｗＮＯｘを所定以下にすることが困難である。従って、触媒が未活性であると、エンジンを高負荷域で運転したときに、テールパイプエミッションが悪化し得る。
【００１２】
ここで、エンジンの温度が所定温度よりも低い冷間時には、一般的に、気筒内のＡ／Ｆ又はＧ／Ｆを大幅にリーンにしてしまうと燃焼安定性が低下してしまう。これに対し、本願発明者らの知見によると、例えばエンジンの幾何学的圧縮比を高くする（例えば１８以上）、及び／又は、燃焼室を遮熱化する、ことによって、冷間時において、気筒内のＡ／Ｆ又はＧ／Ｆを大幅なリーンにしても、燃焼安定性を確保することが可能になる。燃焼室の遮熱化は、例えば燃焼室を区画する区画壁に、遮熱層を設けることによって行ってもよいし、燃焼室内の中央部に混合気層を形成しかつ、その混合気層と燃焼室の区画壁との間に断熱ガス層を形成することによって行ってもよい。また、遮熱層を設けることと、断熱ガス層を形成することとを組み合わせてもよい。
【００１３】
前記の構成では、触媒の未活性時には、リーンバーンエンジンの運転状態が低負荷域内となるように、自動変速機の変速状態を制御する。リーンバーンエンジンの運転状態が高負荷域に移行しようとするときには、例えば、縦軸をエンジンの負荷とし、横軸をエンジンの回転数としたエンジンの出力特性線図において概ね右下がりとなる、等馬力線に沿って、エンジンの運転状態が相対的に高回転の低負荷側に変更されるよう、自動変速機の変速状態を制御する。
【００１４】
触媒の未活性時には、エンジンもまた冷間状態であることが多いが、冷間状態であっても、リーンバーンエンジンを、気筒内のＡ／Ｆ又はＧ／Ｆを大幅なリーンにして運転することになる。気筒内のＡ／Ｆ又はＧ／Ｆを大幅なリーンにすることにより、エンジンにおけるＲａｗＮＯｘの生成が抑制されるから、触媒が未活性であっても、テールパイプエミッションの悪化が防止される。
【００１５】
ここに開示する技術は、前記の構成において、前記制御部は、要求トルクに応じて前記自動変速機の変速比を小に変更することに伴い、前記リーンバーンエンジンの運転状態が前記低負荷域から前記高負荷域に移行しようとするときには、前記自動変速機の変速比を小に変更することを保留することによって、前記リーンバーンエンジンの運転状態を前記低負荷域内にして前記気筒内のＡ／Ｆ又はＧ／Ｆを前記所定リーンのままにする。
【００１６】
例えば、停止又は低車速状態からアクセルペダルを踏み込んで加速を行うようなときに、自動変速機の変速比（つまり、入力回転数／出力回転数）を、要求トルクに応じて、予め設定した変速線図に従い直ちに小に変更するのではなく、変速比の変更を保留する。変速比を変更しないことで、リーンバーンエンジンの回転数が高くなりかつ、エンジンの負荷は大きく上がらない。よって、リーンバーンエンジンの運転状態が低負荷域から高負荷域に移行することが抑制され、リーンバーンエンジンの運転状態を、低負荷域内に留めることが可能になる。その結果、触媒の未活性時に、テールパイプエミッションが悪化することが防止される。尚、エンジンの回転数が高くなる分、単位時間当たりの排気流量が増えるため、触媒の活性の促進にも有利になる。
【００１７】
ここに開示する技術はまた、前記の構成において、前記制御部は、要求トルクに応じて前記リーンバーンエンジンの負荷が高まることに伴い、前記リーンバーンエンジンの運転状態が前記低負荷域から前記高負荷域に移行しようとするときには、前記自動変速機の変速比を大に変更することによって、前記リーンバーンエンジンの運転状態を前記低負荷域内にして前記気筒内のＡ／Ｆ又はＧ／Ｆを前記所定リーンのままにする。
【００１８】
例えば高車速状態（自動変速機の変速比は最小の状態）からアクセルペダルを踏み込んで加速を行うようなときに、要求トルクに応じてリーンバーンエンジンの負荷を、そのまま高めるのではなく、自動変速機の変速比を大に変更する。これにより、リーンバーンエンジンの回転数が高くなり、エンジンの負荷は低くなる。よって、リーンバーンエンジンの運転状態が低負荷域から高負荷域に移行することが抑制され、リーンバーンエンジンの運転状態を、低負荷域内に留めることが可能になる。その結果、触媒の未活性時に、テールパイプエミッションが悪化することが防止される。尚、エンジンの回転数が高くなる分、単位時間当たりの排気流量が増えるため、触媒の活性の促進にも有利になる。
【００１９】
前記リーンバーンエンジン搭載車両の制御装置は、前記リーンバーンエンジンの冷却水を利用して、車室内の暖房を行うよう構成された空調装置をさらに備え、前記制御部は、触媒の未活性時及び活性時において、前記空調装置の暖房要求時でかつ、前記リーンバーンエンジンの冷却水温が所定温度以下の時には、要求トルクに応じて前記自動変速機の変速比を小に変更することに伴い、前記リーンバーンエンジンの運転状態が前記低負荷域から前記高負荷域に移行しようとするときには、前記リーンバーンエンジンの運転状態が前記低負荷域内となって前記気筒内のＡ／Ｆ又はＧ／Ｆを前記所定リーンにするように、前記自動変速機の変速比の変更を保留し、要求トルクに応じて前記リーンバーンエンジンの負荷が高まることに伴い、前記リーンバーンエンジンの運転状態が前記低負荷域から前記高負荷域に移行しようとするときには、前記リーンバーンエンジンの運転状態が前記低負荷域内となって前記気筒内のＡ／Ｆ又はＧ／Ｆを前記所定リーンにするように、前記自動変速機の変速比を大に変更する、としてもよい。
【００２０】
リーンバーンエンジンの運転状態が低負荷域内となるよう自動変速機の変速状態を制御することによって、エンジンの回転数が高まる。前述したように、エンジンの回転数が高まることは、触媒の活性化に有利になるが、単位時間当たりの発熱量が増えるため、リーンバーンエンジンの冷却水の温度を高める上でも有利である。そこで、空調装置の暖房要求時でかつ、リーンバーンエンジンの冷却水温が所定温度以下の低温時には、触媒が活性していても、リーンバーンエンジンの運転状態が低負荷域内となるように、自動変速機の変速状態を制御する。エンジンの回転数が高めになるため、リーンバーンエンジンの冷却水の温度上昇に有利になり、所望の暖房性能を、速やかに確保することが可能になる。
【発明の効果】
【００２１】
以上説明したように、前述したリーンバーンエンジン搭載車両の制御装置によると、触媒の未活性時には、リーンバーンエンジンの運転状態が、気筒内のＡ／Ｆ又はＧ／Ｆを所定リーンにする低負荷域内に留まるよう、自動変速機の変速状態を制御するから、エンジンにおけるＲａｗＮＯｘの生成が抑制され、触媒が未活性であっても、テールパイプエミッションの悪化が防止される。
【図面の簡単な説明】
【００２２】
【図１】図１は、エンジンの構造を示す図である。
【図２】図２は、燃焼室の構成を示す断面図である。
【図３】図３は、リーンバーンエンジン搭載車両の制御装置の構成を示すブロック図である。
【図４】図４は、リーンバーンエンジンの運転制御マップを例示する図である。
【図５】図５は、リーンバーンエンジンと自動変速機との協調制御に係るフローチャートである。
【図６】図６は、アクセルペダルの踏み込み時にシフトアップの保留が行われた制御例における、車速の変化、アクセル開度の変化、変速段の変化、エンジン回転数の変化、及びエンジン負荷の変化を示すタイムチャートである。
【図７】図７は、アクセルペダルの踏み込み時にシフトダウンが行われた制御例における、車速の変化、アクセル開度の変化、変速段の変化、エンジン回転数の変化、及びエンジン負荷の変化を示すタイムチャートである。
【発明を実施するための形態】
【００２３】
以下、リーンバーンエンジン搭載車両の制御装置の実施形態について、図面を参照しながら説明する。尚、以下の説明は例示である。
【００２４】
（エンジンの全体構成）
図１は、実施形態に係るリーンバーンエンジン１（以下、単にエンジン１という）の構成を示している。このエンジン１の燃料は、本実施形態ではガソリンである。燃料は、バイオエタノール等を含むガソリンであってもよい。ここに開示するエンジン１の燃料は、少なくともガソリンを含む液体燃料であれば、どのような燃料であってもよい。
【００２５】
エンジン１は、シリンダブロック１２と、その上に載置されるシリンダヘッド１３とを備えている。シリンダブロック１２の内部に複数の気筒１１が形成されている（図１及び図２では、１つのみ示す）。エンジン１は、多気筒エンジンである。各気筒１１内には、ピストン３が摺動自在に内挿されている。ピストン３は、コネクティングロッド１４を介してクランクシャフト１５に連結されている。ピストン３は、気筒１１及びシリンダヘッド１３と共に燃焼室１７を区画する。尚、「燃焼室」は、ピストン３が圧縮上死点に至ったときに形成される空間の意味に必ずしも限定されず、広義で用いる場合がある。
【００２６】
本実施形態では、燃焼室１７の天井部１７０（シリンダヘッド１３の下面）は、吸気ポート１８の開口部が設けられた吸気側天井面１７１と、排気ポート１９の開口部が設けられた排気側天井面１７２とを備えて構成されている。吸気側天井面１７１は、気筒１１の中央に向かって登り勾配となっている。排気側天井面１７２も、気筒１１の中央に向かって登り勾配となっている。吸気側天井面１７１及び排気側天井面１７２は、クランクシャフト１５の軸方向に延びる谷部において連結されている。燃焼室１７は、ペントルーフ型の燃焼室である。尚、ペントルーフの谷部の位置は、気筒１１のボア中心に一致する場合、及び、一致しない場合の両方があり得る。
【００２７】
ピストン３の冠面３０は、吸気側天井面１７１及び排気側天井面１７２に対応するように、吸気側及び排気側のそれぞれにおいて、ピストン３の中央に向かって登り勾配となった傾斜面３１、３２によって、三角屋根状に隆起している（図２も参照）。このエンジン１の幾何学的圧縮比は、１５以上の高い圧縮比に設定している。ピストン３の冠面３０には、凹状のキャビティ３４が形成されている。
【００２８】
図１には１つのみ示すが、気筒１１毎に２つの吸気ポート１８がシリンダヘッド１３に形成されている。吸気ポート１８は燃焼室１７に連通している。吸気ポート１８は、吸気通路１８１に接続されている。吸気通路１８１には吸気流量を調節するスロットル弁４１（図３参照）が介設されている。
【００２９】
吸気ポート１８と同様に、気筒１１毎に２つの排気ポート１９がシリンダヘッド１３に形成されている。排気ポート１９は燃焼室１７に連通している。排気ポート１９は、排気通路１９１に接続されている。排気通路１９１には、１つ以上の触媒コンバータ１９２を有する排気ガス浄化システムが配設されている。触媒コンバータ１９２は、三元触媒を含む。
【００３０】
シリンダヘッド１３には、吸気弁２１が配設されている。吸気弁２１は、吸気ポート１８を燃焼室１７に対して開閉する。吸気弁２１は吸気動弁機構２３によって、所定のタイミングで往復動する。吸気動弁機構２３は、この例では、吸気カムシャフトの回転位相を所定の角度範囲内で連続的に変更可能な、液圧式又は電動式の位相可変機構（Variable Valve Timing：ＶＶＴ）を、少なくとも含んで構成されている。
【００３１】
シリンダヘッド１３には、排気弁２２が配設されている。排気弁２２は、排気ポート１９を燃焼室１７に対して開閉する。排気弁２２は排気動弁機構２４によって、所定のタイミングで往復動する。排気動弁機構２４は、この例では、液圧式又は電動式のＶＶＴを、少なくとも含んで構成されている。
【００３２】
シリンダヘッド１３には、燃焼室１７内に燃料を直接噴射する燃料噴射弁６が取り付けられている。燃料噴射弁６は、吸気側天井面１７１と排気側天井面１７２とが交差するペントルーフの谷部に配設されている。燃料噴射弁６は、その噴射軸心Ｓが、気筒１１の軸心に沿うように配設されている。噴射軸心Ｓは、気筒１１の軸線と一致する場合、及び、気筒１１の軸線からずれる場合の両方がある。燃料噴射弁６は、ピストン３のキャビティ３４内に向かって、燃料を噴射する。
【００３３】
燃料噴射弁６は、図２に概念的に示すように、キャビティ３４内、つまり燃焼室１７内に、混合気層と、その周囲の断熱ガス層とを形成することが可能に構成されている。燃料噴射弁６は、例えば外開弁式の燃料噴射弁としてもよい。外開弁式の燃料噴射弁は、外開弁のリフト量を調整することにより、噴射する燃料噴霧の粒径を変更することが可能である。本願出願人が先に出願した特願２０１３−２４２５９７号に開示しているように、外開弁式の燃料噴射弁によって、圧縮上死点付近のタイミングで、複数回の噴射を含む所定態様の燃料噴射を行うと、キャビティ３４の中央部に混合気層を、その外周囲に断熱ガス層が形成される。
【００３４】
また、外開弁式の燃料噴射弁に限らず、ＶＯＣ（Valve Covered Orifice）ノズルタイプのインジェクタも、ノズル口に発生するキャビテーションの度合いを調整することにより、噴口の有効断面積を変更して、噴射する燃料噴霧の粒径を変更することが可能である。従って、外開弁式の燃料噴射弁と同様に、キャビティ３４内の中央部に混合気層を、その外周囲に断熱ガス層を形成することが可能である。
【００３５】
また、ヒータによって所定の温度まで加熱した燃料を、高圧雰囲気の燃焼室１７内に噴射することにより、燃料を超臨界状態とすることによっても、キャビティ３４内の中央部に混合気層を、その外周囲に断熱ガス層を形成することが可能である。この技術は、燃焼室１７内に噴射した燃料を瞬時に気化させることによって燃料噴霧のペネトレーションが短くなり、キャビティ３４内における燃料噴射弁の近傍に、混合気層を形成するものである。尚、燃料噴射弁は、例えば複数の噴口を有するマルチホールタイプの燃料噴射弁において、燃料を加熱するヒータを備えて構成される。また、この構成以外の燃料噴射弁であってもよい。
【００３６】
これらの燃料噴射弁の構成は、公知であるため、ここでの詳細な説明は省略する。
【００３７】
エンジン１はまた、着火アシストシステム４２を備えている（図３参照）。着火アシストシステム４２は、混合気にエネルギを与えて自着火を促す点火プラグ、又は、気筒１１内に混合気の自着火を促進する活性種を生成する装置（例えばオゾン生成装置）を有して構成される。図示は省略するが、点火プラグ又はオゾン生成装置は、ペントルーフの谷部において、燃料噴射弁６に対して近接して配設される。
【００３８】
図１では図示を省略するが、エンジン１のシリンダブロック１２及びシリンダヘッド１３の内部には、冷却水が流れるウォータージャケットが形成されている。ウォータージャケットは、冷却水を循環させる循環回路に接続されており、循環回路の途中には、冷却水の熱によって車室内の暖房を行うための車室用ヒータ７１が介設されている。
【００３９】
図３に示すように、エンジン１はまた、既燃ガスを気筒１１内に再導入するよう構成されたＥＧＲシステム４３を備えている。ＥＧＲシステム４３は、エンジン１の排気通路１９１と吸気通路１８１とをつなぐＥＧＲ通路を介して既燃ガスを気筒１１内に再導入する外部ＥＧＲシステム、及び、気筒１１内の既燃ガスの一部を、実質的に気筒１１内に留める内部ＥＧＲシステムの両方を含む。
【００４０】
また、詳細な図示は省略するが、エンジン１の出力は、自動変速機８によって変速された上で、駆動輪に出力される。これにより、車両が走行する。自動変速機８は、例えばプラネタリギヤセットを含んで構成された、有段（例えば６速）の自動変速機である。尚、自動変速機８は、無段の自動変速機としてもよい。また、自動変速機８は、デュアルクラッチトランスミッション（ＤＣＴ）であってもよい。さらに、自動変速機８は、マニュアルトランスミッションのシフト操作を自動化したＡＭＴ（Automated Manual Transmission）であってもよい。
【００４１】
パワートレイン制御部１００は、エンジン１の運転を制御するエンジンＥＣＵ１０１と、自動変速機８の変速状態を制御する変速機ＥＣＵ１０２とを備えている。
【００４２】
エンジンＥＣＵ１０１は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００４３】
変速機ＥＣＵ１０２もまた、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００４４】
パワートレイン制御部１００は、少なくとも、エアフローセンサ５１からの吸気流量に関する信号、アクセルペダルの踏み込み量を検出するアクセル開度センサ５２からのアクセル開度信号、車速センサ５３からの車速信号、クランク角センサ５４からのクランク角パルス信号、水温センサ５５からのエンジン１の冷却水の温度信号、油温センサ５６からのエンジン１の潤滑油の温度信号、及び、触媒温度センサ５７からの触媒コンバータ１９２の温度信号をそれぞれ受ける。そして、パワートレイン制御部１００は、これらの信号に基づいて、要求トルクの演算や、エンジン１の負荷の予測等を行う。
【００４５】
エンジンＥＣＵ１０１は、演算した要求トルク等に基づいて、スロットル開度信号、燃料噴射パルス、着火アシスト信号、バルブ位相角信号等といった、エンジン１の制御パラメータを計算する。そして、エンジンＥＣＵ１０１は、それらの信号を、スロットル弁４１（正確には、スロットル弁４１を動かすスロットルアクチュエータ）、燃料噴射弁６、着火アシストシステム４２、ＥＧＲシステム４３、吸気動弁機構２３及び排気動弁機構２４等に出力する。
【００４６】
また、変速機ＥＣＵ１０２は、基本的には、予め設定している変速線図（図示省略）に従い、車速とアクセル開度とに応じて、シフトアップ信号及びシフトダウン信号を自動変速機８に出力する。
【００４７】
パワートレイン制御部１００はまた、空調装置７から出力された、暖房要求に係る信号を受ける。
【００４８】
このエンジン１は、前述したように、幾何学的圧縮比εを１５以上に設定している。幾何学的圧縮比は、４０以下とすればよく、特に１８以上３５以下が好ましい。圧縮比が高いほど膨張比も高くなるため、エンジン１は、高圧縮比と同時に、比較的高い膨張比を有するエンジンでもある。このエンジン１は、基本的には全運転領域で気筒１１内に噴射した燃料を圧縮自着火により燃焼させる（以下、ＣＡＩ（Controlled Auto Ignition）燃焼という）よう構成されている。高い幾何学的圧縮比は、ＣＡＩ燃焼を安定化する。
【００４９】
図２に示すように、エンジン１は、幾何学的圧縮比を高くするために、ピストン３の冠面３０におけるフラット面（つまり、傾斜面３１、３２とは別に、ピストン３の外周縁部に設けられている面）が、ピストン３が圧縮上死点付近にあるときに、シリンダヘッド１３とシリンダブロック１２との合わせ面よりも、シリンダヘッド１３の側に入り込むように構成されている。よって、このエンジン１では、燃焼室１７は、実質的には、ピストン３の冠面３０と、シリンダヘッド１３の下面（天井部１７０）と、吸気弁２１及び排気弁２２それぞれのバルブヘッドの面と、によって区画形成される。このエンジン１では、燃焼室１７を区画する、これらの区画面に遮熱層１７３を設けている。遮熱層１７３は、これらの区画面の全てに設けてもよいし、これらの区画面の一部に設けてもよい。
【００５０】
遮熱層１７３は、燃焼室１７を構成する金属製の母材よりも熱伝導率が低い。ここでいう母材は、例えばピストン３であればアルミニウム又はアルミニウム合金である。遮熱層１７３は、燃焼室１７内の燃焼ガスの熱が、燃焼室１７を区画する面を通じて放出されることを抑制する。また、遮熱層１７３は、母材よりも容積比熱が小さいことが好ましい。つまり、遮熱層１７３の熱容量を小さくして、燃焼室１７の区画面の温度が、燃焼室１７内のガス温度の変動に追従して変化することが好ましい。こうすることで、燃焼ガスの温度と区画面の温度との差が小さくなるから、熱が、区画面を通じて母材に伝わることが抑制される。
【００５１】
遮熱層１７３は、中空粒子（例えばガラスバルーン）と、バインダとしてのシリコン樹脂と、を含有する遮熱材料を、区画面上に塗布し、加熱処理によって樹脂を硬化させることにより、形成してもよい。遮熱層１７３はまた、区画面上に、ＺｒＯ２等のセラミック材料を、プラズマ溶射によってコーティングすることにより、形成してもよい。
【００５２】
このエンジン１は、燃焼室１７の遮熱構造に加えて、前述したように、燃焼時には、燃焼室１７内にガス層による断熱層を形成する。このことで、エンジン１は、冷却損失を大幅に低減している。具体的に、このエンジン１では、圧縮行程以降において燃料噴射弁６からキャビティ３４内に燃料を噴射させる。図２に示すように、燃料噴射弁６の近傍の、キャビティ３４内の中心部に混合気層を形成しかつ、その周囲に新気を含むガス層を形成するという、成層化が行われる。このガス層は、新気のみであってもよく、新気に加えて、既燃ガス（つまり、ＥＧＲガス）を含んでいてもよい。尚、ガス層に少量の燃料が混じっていても問題はない。ガス層は混合気層よりも燃料リーンであればよい。
【００５３】
燃焼室１７内にガス層と混合気層とが形成された状態で、混合気がＣＡＩ燃焼すれば、混合気層と燃焼室１７の区画壁との間のガス層により、火炎が気筒１１の壁面に接触することが抑制される。また、ガス層が断熱層となるため、燃焼室１７の区画壁からの放熱が抑制される。この結果、冷却損失を大幅に低減することができる。
【００５４】
尚、冷却損失を低減させるだけでは、その冷却損失の低減分が排気損失に転換されて熱効率の向上にはあまり寄与しないところ、このエンジン１では、高膨張比化によって、冷却損失の低減分に相当する燃焼ガスのエネルギを、機械仕事に変換している。すなわち、エンジン１は、冷却損失及び排気損失を共に低減させる構成を採用することによって、熱効率を大幅に向上させているということができる。
【００５５】
このような混合気層とガス層とを燃焼室１７内に形成するために、燃料を噴射するタイミングにおいては、燃焼室１７内のガス流動は弱いことが望ましい。そのため、吸気ポートは、燃焼室１７内でスワールが生じない、又は、生じ難いようなストレート形状を有していると共に、タンブル流もできるだけ弱くなるように、構成されている。
【００５６】
（リーンバーンエンジンと自動変速機との協調制御）
図４は、エンジン１の運転制御に係るマップを例示している。このエンジン１は、所定負荷以下の低負荷域（図４における破線及び破線よりも下側の領域に相当）では、気筒１１内のＧ／Ｆを３０以上でかつ、空気過剰率λを１以上のリーンにする。低負荷域では、エンジン１の負荷に応じて、ＥＧＲシステム４３によって既燃ガスを気筒１１に導入する場合、及び、導入しない場合がある。既燃ガスを気筒１１に導入しない場合は、気筒１１内のＧ／ＦとＡ／Ｆとは実質的に同じであるため、Ａ／Ｆを３０以上とすればよい。低負荷域では、気筒１１内の混合気を大幅にリーンにすることで、熱効率が向上すると共に、ＲａｗＮＯｘの生成が抑制され、排気エミッション性能を向上させることができる。また、低負荷域においてポンプ損失が低減するため、燃費の向上に有利になる。
【００５７】
これに対し、所定負荷を超える高負荷域（図４における破線を超える上側の領域）では、気筒１１内のＧ／Ｆを３０未満でかつ、空気過剰率λをほぼ１にする。つまり、低負荷域と比較して、気筒１１内の混合気を相対的にリッチにする（尚、図４の「リッチ」は相対的にリッチの意味である）。これにより、エンジン１を高負荷で運転することが可能になる一方で、触媒コンバータ１９２（つまり、三元触媒）によって、テールパイプエミッションの悪化を防止することができる。高負荷域では、ＥＧＲシステム４３によって既燃ガスを気筒１１に導入する。気筒１１内に導入する既燃ガスの量を調整することによって、気筒１１内に導入する新気の量を調整すればよい。こうすることで、ポンプ損失が低減する。尚、高負荷域において、ＥＧＲシステム４３による既燃ガスの導入を中止してもよい。ここで、低負荷域と高負荷域との境界としての所定負荷は、例えば全負荷に対し、５０〜６０％負荷としてもよい。
【００５８】
前述したように、このエンジン１は、幾何学的圧縮比を高く設定していると共に、燃焼室１７を遮熱化している（つまり、燃焼室１７を区画する区画壁に遮熱層１７３を設けていると共に、燃焼室１７内の中央部に混合気層、その周囲に断熱ガス層を形成している）。エンジン１の温度状態が所定温度よりも低い冷間時においても、ピストン３が圧縮上死点に至ったときの気筒１１内の温度及び圧力が十分に高くなる。その結果、気筒１１内の混合気を大幅なリーンにしても、ＣＡＩ燃焼を安定して行うことが可能になる。このエンジン１は、基本的に、冷間時でも温間時でも、図４に示す同じ運転制御マップで運転を行うよう構成されている。尚、パワートレイン制御部１００は、水温センサ５５からの冷却水の温度信号、及び／又は、油温センサ５６からの潤滑油の温度信号に基づいて、エンジン１の温度状態の検知は行っている。例えば冷却水温が６０℃以下のとき、及び／又は、潤滑油温が５０℃以下のときには、エンジン１は冷間であると判断してもよい。
【００５９】
尚、幾何学的圧縮比を高く設定すること、燃焼室１７を区画する区画壁に遮熱層１７３を設けること、及び、燃焼室１７内の中央部に混合気層、その周囲に断熱ガス層を形成すること、のいずれか一つの方策、又は、いずれか二つの方策を採用すれば、エンジン１の冷間時に、気筒１１内の混合気を大幅なリーンにしても、ＣＡＩ燃焼を安定して行うことが可能である。
【００６０】
このエンジン１は、高負荷域では、所定リーンよりもリッチであるため、触媒コンバータ１９２による排気ガスの浄化が必要である。触媒の未活性時に、高負荷域でエンジン１を運転すると、テールパイプエミッションが悪化してしまう。一方で、このエンジン１は、低負荷域では、所定リーンであるため、触媒が未活性であっても、テールパイプエミッションの悪化を防止することができる。そこで、エンジン１を搭載した車両は、触媒の未活性時には、エンジン１の運転状態を、低負荷域内に留めるように自動変速機８の変速状態を制御する。こうすることで、触媒が未活性であっても、テールパイプエミッションが悪化することを防止する。
【００６１】
図５は、パワートレイン制御部１００が実行する、エンジン１と自動変速機８との協調制御のフローを示している。このフローは、エンジン１を始動することによりスタートし、最初のステップＳ１では、エンジン１及び自動変速機８の通常制御を行う。つまり、パワートレイン制御部１００に入力される各種信号に基づいて要求トルクの演算等を行うと共に、要求トルクに対応するように、必要な、エンジン１及び／又は自動変速機８の制御を行う。
【００６２】
続くステップＳ２では、エンジン１が運転終了か否かを判定し、運転終了であれば、ステップＳ１１に移行をしてエンジン１を停止し、フローを終了する。一方、運転終了でなければ、ステップＳ３に移行をする。
【００６３】
ステップＳ３では、自動変速機８のシフトアップ要求があったか否かを判定する。シフトアップ要求があったときにはステップＳ４に移行し、なかったときにはステップＳ８に移行する。
【００６４】
ステップＳ４では、自動変速機８を、仮にシフトアップした場合、その後のエンジン１の予測負荷が所定負荷以上になるか否かを判定する。ステップＳ４は、言い換えると、エンジン１の運転状態が、高負荷域内になるか否かを判定（予測）する。予測負荷が所定負荷以上になるときにはステップＳ５に移行する。予測負荷が所定負荷以上にならないとき（つまり、エンジン１の運転状態が、低負荷域内になるとき）には、ステップＳ６に移行し、自動変速機８をシフトアップする。
【００６５】
ステップＳ５では、触媒温度センサ５７からの触媒コンバータ１９２の温度信号に基づいて、触媒が活性状態であるか否かを判定し、活性状態であればステップＳ６に移行する。触媒が活性状態であれば、自動変速機８がシフトアップされ、それによって、エンジン１の運転状態は高負荷域内になる。触媒が活性状態であるため、テールパイプエミッションの悪化が防止される。
【００６６】
一方、ステップＳ５において、触媒が活性状態でないと判定されたときには、ステップＳ７に移行する。ステップＳ７では、自動変速機８のシフトアップを保留する。自動変速機８の変速段を変更しないことに伴い、エンジン１の運転状態を、図４に細線で例示する等馬力線に沿って、高回転の低負荷側にシフトする。このことにより、エンジン１の運転状態を低負荷域内にする。よって、触媒が活性状態でないものの、エンジン１の運転状態が低負荷域内であるから、テールパイプエミッションの悪化が防止される。
【００６７】
ステップＳ８では、エンジン１の要求負荷が所定負荷以上か否かを判定する。所定負荷以上でないときには、エンジン１の運転状態は低負荷域内になる。フローは、そのままステップＳ１に戻る。一方、要求負荷が所定負荷以上であるときにはステップＳ９に移行をする。
【００６８】
ステップＳ９では、触媒が活性状態であるか否かを判定する。活性状態であるとき（つまり、ＹＥＳのとき）には、エンジン１の運転状態が高負荷域内になっても、テールパイプエミッションの悪化が防止される。そこで、要求負荷に従って、エンジン１の負荷が所定負荷以上になることを許容し、フローはステップＳ１に戻る。
【００６９】
一方、ステップＳ９で触媒が活性状態でないと判定したときには、ステップＳ１０に移行する。ステップＳ１０では、自動変速機８のシフトダウンを行い、それによって、エンジン１の回転数を高めかつ、エンジン１の負荷を低下させる。こうして、エンジン１の運転状態が高負荷域内になることを防止し、触媒が未活性のときに、テールパイプエミッションが悪化することを防止する。
【００７０】
次に、図６及び図７に示すタイムチャートを参照しながら、前述したエンジン１及び自動変速機８の協調制御について、具体的に説明をする。図６及び図７は共に、上から順に、車速の変化、アクセル開度の変化、変速段の変化、エンジン１の回転数の変化、及びエンジン１の負荷の変化を示している。図６に示す制御例は、停止状態の車両が、走行を開始して次第に加速するときの例である。先ず、時刻ｔ１１において車両が発進する。アクセル開度が次第に大きくなることに伴い、エンジン１の回転数及びエンジン１の負荷が、それぞれ高まる。また、車速が次第に上昇する。触媒が活性しているときは、図６に実線で示すように、自動変速機８は、予め定められた変速線図に従って、１速から２速に（時刻ｔ１２）、２速から３速に（時刻ｔ１３）、３速から４速に（時刻ｔ１５）、４速から５速に（時刻ｔ１６）にシフトアップする。これは、図５のフローにおいて、ステップＳ３からＳ４を経てＳ６に至るか、ステップＳ３からＳ４及びＳ５を経てＳ６に至る流れである。図６に示す制御例のように、アクセルペダルを踏み込んで加速をするシーンにおいて、触媒の活性時には、自動変速機８は、所定のリズムでシフトアップを行うようになる。
【００７１】
ここで、時刻ｔ１３において自動変速機８が、２速から３速へとシフトアップすることに伴い、エンジン１の回転数が一時的に低下すると共に、エンジン１の負荷が、一点鎖線で示す所定負荷を超える。これにより、エンジン１の運転状態は、高負荷域へと移行する。（つまり、ステップＳ３からＳ４及びＳ５を経てＳ６に至る流れに対応する）
これに対し、触媒の未活性時には、エンジン１の運転状態が高負荷域内になることを抑制するよう、自動変速機８の変速状態を制御する。図６に示す制御例では、破線で示すように、時刻ｔ１３において、自動変速機８が２速から３速へシフトアップすることを保留する。これは、図５のフローにおいて、Ｓ３からＳ４及びＳ５を経てＳ７に至る流れである。シフトアップを保留することにより、等馬力線に沿ってエンジン１の運転状態が、高回転の低負荷側にシフトし、エンジン１の負荷が、破線で示すように、一点鎖線で示す所定負荷を超えることが防止される。エンジン１の運転状態は低負荷域内に留まり、ＲａｗＮＯｘの生成が抑制される。その結果、触媒の未活性時においても、テールパイプエミッションが悪化してしまうことが防止される。図６に示す制御例では、触媒の未活性時に自動変速機８が２速から３速へとシフトアップするタイミングは、時刻ｔ１３からｔ１４に遅延している。これは、時刻ｔ１４のシフトアップ直後にエンジン１の負荷が高まるものの、所定負荷を超えることは防止される。これは、図５のフローのステップＳ３からＳ４を経てＳ６に至る流れである。このように、触媒の未活性時には、シフトアップのタイミングが、活性時と比較して遅延することにより、自動変速機８のシフトアップのリズムは、若干乱れることになる。
【００７２】
次に、図７の制御例は、高速での走行中に（このとき、自動変速機８の変速段は６速である）、アクセルペダルをさらに踏み込んで緩加速するときの例である。先ず、時刻ｔ２１においてアクセルペダルの踏み込みを開始すれば、それに応じてエンジン１の負荷が上昇をする。触媒の活性時には、エンジンの負荷が所定負荷を超えることが許容される。図７に実線で示すように、自動変速機８の変速段は６速のままでかつ、エンジン１の回転数もほぼ一定で、エンジン１の負荷だけが変更される。これは、図５のフローにおけるステップＳ８からステップＳ９を経てそのままステップＳ１に戻る流れである。
【００７３】
これに対し、触媒の未活性時には、エンジン１の負荷が所定負荷を超えそうになると、破線で示すように、自動変速機８が、６速から５速にシフトダウンされる（時刻ｔ２２）。シフトダウンに伴いエンジン１の回転数が高まりかつ、エンジン１の負荷が低下する。これは、図５のフローにおけるステップＳ８からステップＳ９を経てステップＳ１０に至る流れである。尚、図７の制御例では、時刻ｔ２３で、自動変速機８の変速段が、５速から６速にシフトアップされている（つまり、元の変速段に戻されている）。
【００７４】
また、図７の制御例では、時刻ｔ２４で、自動変速機８が６速から５速にシフトダウンされた後、時刻ｔ２５でさらに、５速から４速にシフトダウンされている。これも、図５のフローにおけるステップＳ８からステップＳ９を経てステップＳ１０に至る流れであり、エンジン１の負荷が所定負荷を超えそうになれば、自動変速機８を、さらにシフトダウンする。こうして、自動変速機８の変速制御によって、エンジン１の負荷が所定負荷を超えることを防止し、触媒の未活性時に、エンジン１の運転状態が高負荷域内になることを防止する。その結果、触媒が未活性であっても、テールパイプエミッションが悪化することが防止される。
【００７５】
（まとめ）
以上説明したように、ここに開示するリーンバーンエンジン搭載車両の制御装置は、エンジン１の温度の高低に関わらず、低負荷域での運転時には、ＲａｗＮＯｘが所定以下となるよう気筒１１内のＡ／Ｆ又はＧ／Ｆを所定リーンにすると共に、低負荷域よりも負荷の高い高負荷域での運転時には、気筒１１内のＡ／Ｆ又はＧ／Ｆを所定リーンよりもリッチにするよう構成されたリーンバーンエンジン１と、自動変速機８と、要求トルクに応じて、リーンバーンエンジン１の運転、及び、自動変速機８の変速状態を制御するよう構成されたパワートレイン制御部１００と、を備える。そして、パワートレイン制御部１００は、触媒の未活性時には、リーンバーンエンジン１の運転状態が低負荷域内となるように、自動変速機８の変速状態を制御する。
【００７６】
より具体的に、パワートレイン制御部１００は、要求トルクに応じて自動変速機８の変速比を小に変更する（つまり、変速段を高速段にする）ことに伴い、リーンバーンエンジン１の運転状態が低負荷域から高負荷域に移行するときには、自動変速機８の変速比の変更を保留する（図５のフローのステップＳ７）。
【００７７】
また、パワートレイン制御部１００は、要求トルクに応じてリーンバーンエンジン１の負荷が高まることに伴い、リーンバーンエンジン１の運転状態が低負荷域から高負荷域に移行するときには、自動変速機８の変速比を大に変更する（つまり、自動変速機８の変速段を低速段に変更する。図５のフローのステップＳ１０）。
【００７８】
リーンバーンエンジン１は、エンジンの温度の高低に関わらず、低負荷域での運転時には、気筒内のＡ／Ｆ又はＧ／Ｆを所定リーンにすることによって、ＲａｗＮＯｘが所定以下となるから、触媒が未活性であっても、テールパイプエミッションの悪化が防止される。よって、触媒が未活性のときに、リーンバーンエンジン１の運転状態が低負荷域内に留まるように、自動変速機８の変速状態を制御することによって、テールパイプエミッションの悪化を防止することができる。
【００７９】
また、リーンバーンエンジン１の運転状態が低負荷域内に留まるように、エンジン１の回転数を高めるため、単位時間当たりの排気流量が増大し、触媒の活性化にも有利になる。
【００８０】
ここで，図５に示すフローでは、触媒が未活性のときに、自動変速機８のシフトアップを保留したり、自動変速機８をシフトダウンしたりしている。自動変速機８のシフトアップを保留したり、自動変速機８をシフトダウンしたりすることで、エンジン１の回転数が高まる。これは、エンジン１の冷却水温が低いときに、単位時間当たりの発熱量を増やして、冷却水の温度を上昇させる上で有効である。
【００８１】
前述したように、この車両では、エンジン１の冷却水の循環回路に車室用ヒータ７１が介設しており、車室内の暖房は、この車室用ヒータ７１を用いて行われる。暖房要求時に冷却水温が低いと、所望の暖房性能を得ることができない。そこで、パワートレイン制御部１００は、空調装置７から暖房要求を受けたときでかつ、エンジン１の冷却水温が所定温度以下の時には、触媒が活性化しているときでも、前記と同様に、エンジン１の運転状態が低負荷域内に留まるように、自動変速機８の変速状態を制御するようにしてもよい。つまり、自動変速機８のシフトアップを保留したり、自動変速機８のシフトダウンを行ったりすることで、エンジン１の回転数を高めるようにする。その結果、エンジン１の冷却水の温度が速やかに高まり、所望の暖房性能を、速やかに確保することが可能になる。
【００８２】
尚、車室用ヒータ７１へ循環する冷却水は、エンジン１の燃焼ガスによって加熱される冷却水を示しており、エンジン１の本体内に流通する冷却水に限定されず、排気通路の途中に搭載する排熱回収器（図示省略）の冷却水であってもよい。上記のように、遮熱層１７３を設けたエンジン１にあっては、この遮熱層１７３により、燃焼室１７の燃焼ガスの熱が冷却水に伝わり難いため、むしろ、排気通路の途中に搭載する排熱回収器を設け、この排熱回収器の冷却水を車室用ヒータ７１へ循環する方が望ましいとも言える。
【００８３】
また、前述したリーンバーンエンジン１の構成は例示であり、ここに開示する技術は、前述した構成のリーンバーンエンジン１に適用することに限定されない。
【符号の説明】
【００８４】
１  リーンバーンエンジン
１１  気筒
１００  パワートレイン制御部（制御部）
１０１  エンジンＥＣＵ（制御部）
１０２  変速機ＥＣＵ（制御部）
１９２  触媒コンバータ
７  空調装置
８  自動変速機
【図１】
0006398885.tif 000002
【図２】
0006398885.tif 000003
【図３】
0006398885.tif 000004
【図４】
0006398885.tif 000005
【図５】
0006398885.tif 000006
【図６】
0006398885.tif 000007
【図７】
0006398885.tif 000008